(57)【特許請求の範囲】
【請求項１】
多数の無線接続技術を提供する携帯型無線通信装置（１００）の測定イベントを、利用可能なアイドルギャップに同期させる方法であって、
第１の無線接続技術を用いたデバイス（１０２）のトランシーバ・アクティビティ間のアイドルギャップを、第２の無線接続技術を用いたデバイス（１０１）による使用のために識別する工程と、
前記第２の無線接続技術を用いたデバイス（１０１）による前記ギャップの前記使用をスケジューリングする工程と、
前記ギャップの期間に実行される前記第２の無線接続技術を用いたデバイス（１０１）のデバイス間無線接続の測定を前記第２の無線接続技術を用いたデバイス（１０１）が開始するために、前記第１の無線接続技術を用いたデバイス（１０２）から前記第２の無線接続技術を用いたデバイス（１０１）に、前記第１の無線接続技術を用いたデバイス（１０２）と前記第２の無線接続技術を用いたデバイス（１０１）とで共通に利用する無線資源を前記ギャップの期間に前記第１の無線接続技術を用いたデバイス（１０２）から引き継いで前記測定を実行するための前記ギャップの長さについての情報を含む、実行命令信号を送信する工程と
を有することを特徴とする方法。
【請求項２】
多数の無線接続技術を提供する携帯型無線通信装置（１００）の測定イベントを、利用可能なアイドルギャップに同期させる方法であって、
第１の無線接続技術を用いたデバイス（１０２）のトランシーバ・アクティビティ間のアイドルギャップを、第２の無線接続技術を用いたデバイス（１０１）による使用のために識別する工程と、
前記第２の無線接続技術を用いたデバイス（１０１）による前記ギャップの前記使用をスケジューリングする工程と、
前記第１の無線接続技術を用いたデバイス（１０２）から前記第２の無線接続技術を用いたデバイス（１０１）へ、前記第２の無線接続技術を用いたデバイス（１０１）のデバイス間無線接続の測定に利用可能な今度のギャップの長さについての情報であって、前記第１の無線接続技術を用いたデバイス（１０２）と前記第２の無線接続技術を用いたデバイス（１０１）とで共通に利用する無線資源を前記ギャップの期間に前記第１の無線接続技術を用いたデバイス（１０２）から引き継いで前記測定を実行するための前記情報を含む準備信号を送信する工程と、
前記ギャップの期間に実行される前記第２の無線接続技術を用いたデバイス（１０１）のデバイス間無線接続の測定を前記第２の無線接続技術を用いたデバイス（１０１）が開始するために、前記第１の無線接続技術を用いたデバイス（１０２）から前記第２の無線接続技術を用いたデバイス（１０１）に実行命令信号を送信する工程と
を有することを特徴とする方法。
【請求項３】
前記実行命令信号は前記ギャップの初めに送信されることを特徴とする請求項１又は２に記載の方法。
【請求項４】
前記ギャップの期間に前記測定を実行するために、前記実行命令信号は前記ギャップの前の特定の時間に送信されることを特徴とする請求項１又は２に記載の方法。
【請求項５】
前記デバイス間無線接続の測定（４０２ｂ）を実行するために、前記第２の無線接続技術を用いたデバイス（１０１）を準備する工程をさらに有することを特徴とする請求項２に記載の方法。
【請求項６】
前記第２の無線接続技術を用いたデバイス（１０１）を準備する工程は、前記第２の無線接続技術を用いたデバイス（１０１）を低消費電力状態から離脱させる工程を有することを特徴とする請求項５に記載の方法。
【請求項７】
前記アイドルギャップを識別する工程は、ＧＳＭを基礎とした第１の無線接続技術を用いたデバイス（１０２）のトランシーバ・アクティビティ間で実行され、
前記実行命令信号はＷＣＤＭＡを基礎とした第２の無線接続技術を用いたデバイス（１０１）に送信されて、前記ギャップ期間に実行される前記ＷＣＤＭＡを基礎とした第２の無線接続技術を用いたデバイス（１０１）のデバイス間無線接続の測定を開始することを特徴とする請求項１乃至６のいずれかに記載の方法。
【請求項８】
前記アイドルギャップを識別する工程は、ＷＣＤＭＡを基礎とした第１の無線接続技術を用いたデバイス（１０１）のトランシーバ・アクティビティ間で実行され、
前記実行命令信号はＧＳＭを基礎とした第２の無線接続技術を用いたデバイス（１０２）に送信されて、前記ギャップ期間に実行される前記ＧＳＭを基礎とした第２の無線接続技術を用いたデバイス（１０１）のデバイス間無線接続の測定を開始することを特徴とする請求項１乃至６のいずれかに記載の方法。
【請求項９】
コントローラ（１１３）と、第１の無線接続技術を用いたデバイス（１０２）と、第２の無線接続技術を用いたデバイス（１０１）とを有した多数の無線接続技術を提供する携帯型無線通信装置（１００）であって、
前記第１及び第２の無線接続技術を用いたデバイス（１０１、１０２）は動作的に相互接続され、
前記コントローラ（１１３）は、
前記第１の無線接続技術を用いたデバイス（１０２）のトランシーバ・アクティビティ間のアイドルギャップを、前記第２の無線接続技術を用いたデバイス（１０１）による使用のために識別し、
前記第２の無線接続技術を用いたデバイス（１０１）による前記ギャップの前記使用をスケジューリングし、
前記ギャップの期間に前記第２の無線接続技術を用いたデバイス（１０１）のデバイス間無線接続の測定を開始するために、前記第１の無線接続技術を用いたデバイス（１０２）から前記第２の無線接続技術を用いたデバイス（１０１）に、前記第１の無線接続技術を用いたデバイス（１０２）と前記第２の無線接続技術を用いたデバイス（１０１）とで共通に利用する無線資源を前記ギャップの期間に前記第１の無線接続技術を用いたデバイス（１０２）から引き継いで前記測定を実行するための前記ギャップの長さについての情報を含む、実行命令信号を送信すること
を特徴とする携帯型無線通信装置（１００）。
【請求項１０】
前記第１及び第２の無線接続技術を用いたデバイス（１０１、１０２）は前記デバイス間無線接続の測定のための共通無線資源手段（１０６、１０７）を有することを特徴とする請求項９に記載の携帯型無線通信装置（１００）。
【請求項１１】
前記第１の無線接続技術を用いたデバイス（１０２）はＧＳＭを基礎とした無線接続技術を用いたデバイスであり、
前記第２の無線接続技術を用いたデバイス（１０１）はＷＣＤＭＡを基礎とした無線接続技術を用いたデバイスであることを特徴とする請求項９又は１０に記載の携帯型無線通信装置（１００）。
【請求項１２】
前記第１の無線接続技術を用いたデバイスはＷＣＤＭＡを基礎とした無線接続技術を用いたデバイスであり、
前記第２の無線接続技術を用いたデバイスはＧＳＭを基礎とした無線接続技術を用いたデバイスであることを特徴とする請求項９又は１０に記載の携帯型無線通信装置（１００）。
【発明の詳細な説明】
【技術分野】
【０００１】
本発明は多数の無線接続技術を提供する携帯型無線通信装置の測定イベントの同期の方法と装置に関し、特に、多数の、そして動作的に内部接続された無線接続技術のデバイスを有する携帯型無線通信装置の測定イベントの同期の方法と装置に関するものである。
【背景技術】
【０００２】
多数のＲＡＴ（無線接続技術）を用いた端末は、異なる接続技術に基づく２つ以上の無線接続技術を用いたデバイスを有する、最近導入された一種の通信装置である。多数のＲＡＴを用いた端末の具体例は、デュアルＲＡＴ端末であり、それは、例えば、ＧＳＭ（汎欧州デジタル移動電話方式）とＷＣＤＭＡ（広帯域符号分割多元接続）技術に基づく２つの無線接続技術を用いたデバイスを含む。この新しい種類の通信装置は、エンドユーザに大きな柔軟性を提供し、異なる無線接続技術に基づいたデジタルセルラシステムのインフラストラクチュアを備えた異なる国々や地域での使用に１つだけの端末をもてば良い。
【０００３】
多数のＲＡＴを用いた端末のユーザに対する付加的な特質や更なる利点は、異なる無線接続技術に基づいた多数のデジタルセルラシステムのインフラストラクチュアを備えた単一の地域で達成される。この多数（multiple）という能力は、多数のＲＡＴを用いた端末の最適な無線接続技術が各場面での通信のために選択されるという更なる利点を差し出すものである。
【０００４】
移動性という機能について、即ち、端末のユーザはセルの境界線を越えることができる点について、多数の或いはデュアルＲＡＴ端末は、例えば、ＷＣＤＭＡとＧＳＭシステムの両方のシステムについて、基地局の信号レベルと識別測定とを実行する必要がある。このことは、少なくとも部分的には、各システムについての基地局のアイデンティティを見出し決定することから構成されるシステム間測定により実行される。１つのシステムに接続された時、その端末はもう１つのシステムについての測定をサポートしなければならない。デュアルＲＡＴ端末を実現する１つの方法は、各ＲＡＴ端末に１つ、互いに対して独立に動作する２つの別々な無線セットをもたせることである。しかしながら、この解決策は、サイズ、ＲＦ（無線周波数）、性能、互いに近接して構成されるか或いは配置される無線デバイス間の干渉の点から欠点がある。
【０００５】
しかしながら、少なくとも電力消費の削減と小型化の目的のために、無線資源の一部、即ち、両方の技術に共通の構成要素を利用することは望ましい。この種のデュアルＲＡＴシステムにおいて、２つの異なる無線接続技術のユニットが準並行的に共に動作し、そのユニットの１つがアクティブであれば、他方のものはノンアクティブか或いはパッシブである。パッシブシステムについての測定は実行することはできないが、その端末は接続された或いはアクティブシステムでの送受信は行なう。これらの測定は、接続システムの受信／送信においてギャップがあるときか、或いは接続システムの受信とは平行にダウンリンクのギャップだけが必要なときに、実行される。
【０００６】
ＲＡＴ間測定は、部分的には基地局のアイデンティティを見出し決定することから構成される。各ＷＣＤＭＡ基地局は、それが最小の長さをもつなら、何らかの測定ギャップにおいて認識されるが、時間的にそのギャップの特定の配置には独立でよい。これとは反対に、特定のＧＳＭ基地局の識別は特定のタイムスロットの間にだけ発生する。そのタイムスロットは測定ギャップの特定のタイミングを重要なものとする。この事実は、ＧＳＭ基地局の識別はある程度の計画を必要とする一方、ＷＣＤＭＡ基地局の識別は測定ギャップの正確なタイミングを知ることなく実行できる。
【０００７】
共通の無線資源があってもなくても、デュアルＲＡＴ端末はＧＳＭネットワークに属する方式の上にのっかり、その端末が実行されるＷＣＤＭＡ測定をサポートしていないがＧＳＭのＲＡＴ機器は受信或いは送信を行なうという場面に関係した特別な問題がある。
【０００８】
さらに、前もってＧＳＭのアイドルギャップがＧＳＭのＲＡＴデバイスとＷＣＤＭＡのＲＡＴデバイスとの間でどのように分配されるべきなのかをスケジュールすることは難しい。なぜなら、ＧＳＭの測定ギャップについての必要は予測できないからである。それ故に、前もってＷＣＤＭＡのＲＡＴデバイスに、いつＷＣＤＭＡ測定ギャップが発生するのかを通知することは不可能である。
【０００９】
複雑性の観点からすると、１つの方式において両方のシステムの測定を計画すること、即ち、ＷＣＤＭＡの時間フォーマットにおける計画のアクティビティとＧＳＭの時間フォーマットにおけるＧＳＭのアクティビティの夫々で、別々の低いレイヤでのソフトウェアとハードウェアのサポートを行なうことは好ましくない。必要な唯一の共通計画は、ＧＳＭのＲＡＴデバイスとＷＣＤＭＡのＲＡＴデバイスとが測定のために同じＧＳＭのアイドルギャップを用いないことを保証することである。さもなければ、２つの接続技術のセル測定は互いに依存しなくなる。さらにその上、ＷＣＤＭＡのＲＡＴデバイスはいくつかの続いて生じるＧＳＭアイドルギャップに対するアクセスを必要としない。それ故に、ＷＣＤＭＡのＲＡＴデバイスとＧＳＭのＲＡＴデバイスとは自分自身のアクティビティを独立に計画することが好ましい。
【発明の開示】
【発明が解決しようとする課題】
【００１０】
発明の要約
本発明の目的は、多数の無線接続技術を用いた端末の測定イベントの同期の方法を提供することである。
【課題を解決するための手段】
【００１１】
この目的は、多数の無線接続技術を提供する携帯型無線通信装置のイベント同期を測定する方法であって、第１の無線接続技術を用いたデバイスのトランシーバ・アクティビティ間のアイドルギャップを識別する工程と、前記ギャップの期間に実行される第２の無線接続技術を用いたデバイスのデバイス間無線接続技術の測定を開始するために、前記第２の無線接続技術を用いたデバイスに実行信号を送信する工程とを有することを特徴とする方法によって達成される。
【００１２】
本発明のより具体的な目的は、前記方法を作用させる装置を提供することである。
【００１３】
本発明のこの具体的な目的は、第１の無線接続技術を用いたデバイスと、第２の無線接続技術を用いたデバイスとを有した多数の無線接続技術を提供する携帯型無線通信装置であって、前記第１及び第２の無線接続技術を用いたデバイスは動作的に相互接続される装置によって達成される。その携帯型無線通信装置は、さらに、前記第１の無線接続技術を用いたデバイスのトランシーバ・アクティビティ間のアイドルギャップを識別し、そのギャップの期間に第２の無線接続技術を用いたデバイスのデバイス間無線接続技術の測定を開始するために、第２の無線接続技術を用いたデバイスに実行信号を送信するように適合されたコントローラを有する。
【発明の効果】
【００１４】
本発明に従う方法及び装置の利点は次のようなものである。即ち、ＧＳＭとＷＣＤＭＡの無線接続技術のイベント同期の問題のために、リアルタイム性要求の低い測定を行なう、あまり複雑ではない解決策が提供されることである。さらに、この方法により、ＲＡＴデバイスが互いに対して独立に自分のアクティビティを計画して実行することが可能になる。これにより、ＧＳＭとＷＣＤＭＡに対するプラットフォームの開発が互いに対して独立に実行可能になる。他の利点は、その方法がＧＳＭとＷＣＤＭＡデバイスにおけるクロックの同期を要求しない点にある。
【発明を実施するための最良の形態】
【００１５】
本発明をより詳細に、そして本発明の利点と特徴とを説明するために、好適な実施例を添付図面を参照して以下に説明する。
【００１６】
サイズとＲＦ（無線周波数）と性能のために共通の無線資源を利用し、本発明に従う測定イベントを同期させる手段を備えた多数の無線接続技術（ＲＡＴ）を用いた端末の実施例が図１Ａに示されている。この実施例では、その端末は２つの無線接続技術を用いたデバイスをもち、それ故に、デュアルＲＡＴ端末或いは通信装置１００として言及される。端末或いは通信装置という用語は、携帯型無線通信機器を含むものである。携帯型無線通信機器という用語は、移動体電話、ページャ、コミュニケータ即ち電子手帳、スマートフォンなどの全ての機器を含むものである。
【００１７】
通信装置１００はこれに限定されるものではないが、ＷＣＤＭＡ（広帯域符号分割多元接続）に基づく第１の無線接続技術を用いたデバイス１０１とＧＳＭ（汎欧州デジタル移動電話方式）に基づく第２の無線接続技術を用いたデバイス１０２とを含む。第１の無線接続技術を用いたデバイス１０１はＷＣＤＭＡ無線送受信器或いはトランシーバ１０３をもち、それは、後で説明するがＷＣＤＭＡ基地局を介して他の通信機器とのＷＣＤＭＡ接続を確立し維持するのに適合されている。トランシーバ１０３は送信器１０４と受信器１０５とをもち、それらはアンテナスイッチ１０７を介してアンテナ１０６に接続されている。第２の無線接続技術を用いたデバイス１０２はＧＳＭ無線送受信器或いはトランシーバ１０８をもち、それは、後で説明するがＧＳＭ基地局を介して他の通信機器とのＧＳＭ接続を確立し維持するのに適合されている。トランシーバ１０８は送信器１０９と受信器１１０とをもち、それらは前記アンテナスイッチ１０７を介して共通アンテナ１０６に接続されている。
【００１８】
ＷＣＤＭＡトランシーバ１０３はコントローラ１１１に接続されている。コントローラ１１１は幾つかの異なる方法、例えば、プログラマブルマイクロプロセッサ（ＣＰＵ）、特定用途向け集積回路（ＡＳＩＣ）、或いは、以下に説明する機能要求を成就する他の電子論理回路のような形で実現することができる。また、コントローラ１１１の一部がソフトウェアプログラム命令の形で実現され、それが電子メモリ１１２に格納されコントローラ１１１により読み出され実行されても良い。メモリ１１２はコントローラ１１１に結合され、それは、例えば、ＲＡＭメモリ、ＲＯＭメモリ、ＥＥＰＲＯＭメモリ、フラッシュメモリなどで実現されても良い。
【００１９】
同様に、ＧＳＭトランシーバ１０８はコントローラ１１３に接続されている。コントローラ１１３も幾つかの異なる方法、例えば、プログラマブルマイクロプロセッサ（ＣＰＵ）、特定用途向け集積回路（ＡＳＩＣ）、或いは、以下に説明する機能要求を成就する他の電子論理回路のような形で実現することができる。また、コントローラ１１３の一部がソフトウェアプログラム命令の形で実現され、それが電子メモリ１１４に格納されコントローラ１１３により読み出され実行されても良い。メモリ１１４はコントローラ１１３に結合され、それは、例えば、ＲＡＭメモリ、ＲＯＭメモリ、ＥＥＰＲＯＭメモリ、フラッシュメモリなどで実現されても良い。
【００２０】
本発明の実施例では、通信装置１００はこれに限定されるものではないが、従来の移動体通信に用いられる移動体電話である。さらに、それは、ＷＣＤＭＡとＧＳＭ移動体通信ネットワークとの先進的な移動体インターネットサービス、マルチメディア、ビデオ、他の能力を要求するアプリケーションの内の少なくともいずれかの広帯域デジタル無線通信のために用いられる。それらのネットワークは、好ましくは夫々が約２ＧＨｚと、９００、１８００、及び１９００ＧＨｚの内少なくともいずれかで運用する。
【００２１】
デュアル無線接続技術を用いた通信装置１００はその装置を正しく動作させるために付加的な回路か部品の内の少なくともいずれかを有している。図１Ｂを参照すると、これらの回路と部品１１５の内の少なくともいずれかは、これに限定されるものではないが、第１及び第２の無線接続技術を用いたデバイス１０１、１０２と通信し、その装置の他の部品とブロックの動作を制御するためのプログラム命令の解釈と実行のために備えられた付加コントローラか中央処理ユニット（ＣＰＵ）１１６を含んでいる。他の部品やブロックには、例えば、データ及びプログラムメモリ１１７、キーパッド１１８、ＬＣＤディスプレイ１２０を駆動するＬＣＤドライバ１１９、例えば、会話している電話ユーザの人の声からアナログ信号に至る音波を受信するのに適合されたマイクロフォン１２１などがある。マイクロフォンは第１のアナログ−デジタル（Ａ／Ｄ）変換器１２２に接続され、それはマイクロフォンからのアナログ信号をデジタル信号プロセッサ（ＤＳＰ）１２３に入力する前にデジタル信号に変換する。ＤＳＰ１２３はＡ／Ｄ変換器１２２からのデジタル信号を処理し、キーパッド１１８とディスプレイからのデータはＷＣＤＭＡに基づく第１の無線接続技術を用いたデバイス１０１或いはＧＳＭに基づく第２の無線接続技術を用いたデバイス１０２を介したさらなる送信のために適合されている。第１及び第２の無線接続技術を用いたデバイス１０１と１０８によって受信した信号はデジタル−アナログ（Ｄ／Ａ）変換器１２４に転送され、それはＤ／Ａ変換器１２４に接続されたラウドスピーカ１２５による再生のためにデジタル信号をアナログ信号に変換する。写真、テキスト、或いはビデオなどの他の受信データは、装置１００のディスプレイや他のアクセサリに転送される。
【００２２】
図２は、後で説明するが、ＧＳＭのＲＡＴデバイス１０２とＷＣＤＭＡのＲＡＴデバイス１０１との間の測定イベントを同期させる方法に関与する装置１００のハードウェアとソフトウェアの異なるレイヤを図示したものである。図２における左側の２つのブロックはＧＳＭのＲＡＴデバイス１０２を表し、図２における右側の２つのブロックはＷＣＤＭＡのＲＡＴデバイス１０１を表している。ＧＳＭの物理層ブロック２０１は、ＧＳＭのＲＡＴデバイス１０２とＷＣＤＭＡのＲＡＴデバイス１０１との間の物理的媒体の通信とアクセスのための物理的或いはハードウェアレイヤを図示している。ＷＣＤＭＡのＲＡＴデバイスのこれに対応する物理層ブロックはＷＣＤＭＡの物理層ブロック２０２である。次のレベルには、管理物理層或いは無線資源ブロック（ＲＲ）２０３がある。このブロックはＷＣＤＭＡのＲＡＴデバイス１０１との接続を確立し、維持し、終了することを担当し、ＷＣＤＭＡのＲＡＴデバイスの対応する無線資源制御ブロック（ＲＲＣ）２０４と通信を行なう。
【００２３】
図３はセルラ電話サービスのためのセルラ移動体電話ネットワークを含むデュアルＲＡＴシステムの一部の実施例を示している。セルラ電話サービスはサービス領域を数多くのより小さなセルに分割することに関与する。各セルは基地局（ＢＳ）３０１、３０１’−ＧＳＭ基地局或いはＷＣＤＭＡ基地局−と、アンテナ３０２、３０２’とを必要とする。１つのＢＳが幾つかのセルをサポートする。ＧＳＭ基地局とＷＣＤＭＡ基地局とは別々に或いは同じ場所に配置されても良い。この実施例のネットワークでは、基地局３０１はＧＳＭ基地局であり、基地局３０１’はＷＣＤＭＡ基地局である。基地局３０１、３０１’はスイッチング機能とともに移動体電話ユーザの追跡も実行する。ゲートウェイ移動体サービス交換センタ（ＧＭＳＣ）３０４或いは移動体サービス交換センタ（ＭＳＣ）３０５だけがネットワークに個々の移動体電話３０３或いはデュアルＲＡＴ端末１００についての具体的なデータを提供し、公衆交換ネットワーク（ＰＳＴＮ）３０６に対するインタフェースとして動作する。
【００２４】
このデュアルＲＡＴシステムでは、ＧＳＭ無線接続技術を用いたデバイス１０２とＷＣＤＭＡ無線接続技術を用いたデバイス１０１は準並行的に共に動作する。ここで、第１のＲＡＴデバイスはアクティブであるなら、第２のＲＡＴデバイスはノンアクティブ（或いはパッシブ）である。本発明のこの実施例では、ＧＳＭのＲＡＴデバイスはアクティブであり、ＷＣＤＭＡのＲＡＴデバイスはＧＳＭのＲＡＴデバイスに対してスレーブシステムとして動作する。ノンアクティブな無線接続デバイス、即ち、この実施例ではＷＣＤＭＡのＲＡＴデバイス１０１は隣接する基地局を監視しなければならない。この実施例では、デュアルＲＡＴ端末１００だけが１つの近接し隣接するＷＣＤＭＡ基地局３０１’をもつ。この実施例ではただ１つの隣接基地局が存在するが、これは例示するだけのためにそうしている。図３におけるセルラ通信システムの他の代替実施例では、数多くの隣接基地局、つまり、ＧＳＭ基地局とＷＣＤＭＡ基地局の両方が本発明の範囲内になるデュアルＲＡＴ端末１００によって監視されるために含まれる。隣接する基地局を監視するとき、ノンアクティブなＲＡＴデバイス１０１はアクティブなＲＡＴデバイス１０２から時間資源を得て、ＲＡＴ間の測定を実行する。本発明に従うデュアルＲＡＴ端末の測定イベントを同期させる方法の動作は、アクティブなＧＳＭのＲＡＴデバイス１０２の現在の状態に依存している。ＧＳＭのＲＡＴデバイスは専用モードと呼ばれる専用／パケット転送状態、或いはアイドルモードと呼ばれるアイドル／パケット転送状態で動作することができる。デュアルＲＡＴ端末１００はまた、呼出における同期方法の例外とＲＡＣＨ状態とを扱うのに適合されている。
【００２５】
ＧＳＭのＲＡＴデバイス１０２がアイドル状態にあるとき、ＷＣＤＭＡのＲＡＴデバイス１０１は幾つかの完全なＷＣＤＭＡフレームを取得するであろう。そのフレーム内で、このデュアル端末はその同期と測定とを実行することができる。しかしながら、この場合には通常のＷＣＤＭＡ動作によって備えられる以外の何の付加的な特徴や機能を必要とすることはない。
【００２６】
しかしながら、ＧＳＭのＲＡＴデバイスが専用モードにあるとき、そのデバイスはＷＣＤＭＡ動作のために数多くのアイドルフレームを割当てるであろう。
【００２７】
本発明に従う方法の第１の実施例は図４のフローチャートに図示されている。第１のステップである４０１において、ＲＲ２０３は共通の無線資源がパッシブなＷＣＤＭＡのＲＡＴデバイス１０１により用いられる期間についてのスケジュールを計画する。専用モードでは、端末１００は、５１個のマルチフレーム（１２０ミリ秒）毎に一度と、ＴＣＨ／ＦとＴＣＨ／Ｈに対しては２６個のマルチフレーム毎に発生する所謂アイドルフレームの期間に測定を行なうことができる。ＴＣＨ／Ｈとパケット専用のフルレートとハーフレートに関し、夫々２６、５２マルチフレーム毎に１つ以上のアイドルフレームがあるかもしれないし、種々のＳＤＣＣＨサブチャネルに関しては、そのアイドルフレームは５１個のマルチフレームに基づいている。これらのアイドルフレームはしかしながら、ＧＳＭの測定とＷＣＤＭＡのＲＡＴ間測定の両方に用いられる。従って、利用可能なアイドルフレームは、ＷＣＤＭＡのＲＡＴデバイス１０１とＧＳＭのＲＡＴデバイス１０２との間で分散されスケジュールされねばならない。しかしながら、前もって、即ち、比較的長い時間前に、ＧＳＭ内部での測定のためにＧＳＭのアイドルフレームの使用をスケジュールすることは難しい。それ故に、ＷＣＤＭＡのＲＡＴデバイスが測定を実行するためにどのアイドルフレームが利用可能であるのかをスケジュールすることは難しい。
【００２８】
ＲＲ２０３は、測定のためにＷＣＤＭＡのＲＡＴデバイス１０１によって用いられるトランシーバのアクティビティ間のアイドルフレーム或いはギャップを識別することによりスケジュールを計画する。適切なアイドルギャップの識別後の次のステップでは、ステップ４０２において、ハードウェア実行命令がＧＳＭ物理層２０１によりＷＣＤＭＡ物理層２０２に対して、前記ギャップの始まりか或いは前記ギャップ前の特定の期間で、送信される。特別な場合には、ギャップの長さがＷＣＤＭＡのＲＡＴデバイス１０１により要求される。これらの場合、その実行命令は測定ギャップの長さについての情報を含む。ＷＣＤＭＡのＲＡＴデバイス１０１とそのコントローラ１１１は共通無線資源、即ち、少なくともスイッチ１０７とアンテナ１０６とをそのギャップの期間中は引継ぎ、ステップ４０３において、隣接する基地局、この例では基地局３０１’についての測定を行なう。
【００２９】
そのギャップが必要最小限の長さをもつとすると、どのＷＣＤＭＡ基地局もいずれかの測定ギャップにより、時間的にそのギャップの特定の配置とは独立に識別される。ＷＣＤＭＡシステムは利用可能な測定ギャップのタイミングに独立なのであるから、ＷＣＤＭＡのＲＡＴデバイス１０１は、来るべきギャップの期間にどの基地局、即ち、どのセルを測定するのかを前もって決定し、ＧＳＭのＲＡＴデバイス１０２からの実行信号の受信時には非常に短い遅延で測定を実行することができる。
【００３０】
そのギャップが終了するとき、ＧＳＭのＲＡＴデバイス１０２とそのコントローラ１１３はステップ４０４においてその通常の動作を回復させる。このことは、ＷＣＤＭＡのＲＡＴデバイス１０１からの通知なく行なうのが好ましい。
【００３１】
ＷＣＤＭＡ受信器１０３とＧＳＭ受信器１０８とは、各技術を用いた機器が受信中か或いは送信中、即ち、測定動作中でもあるとき、動作し安定であることが必要な無線周波数シンセサイザをもっている。そのシンセサイザの開始特性はそのシンセサイザについての各開始時間に依存する程度までその時間についての影響がある。さらに、ＷＣＤＭＡ受信器１０５は、ＷＣＤＭＡのＲＡＴデバイス１０１が測定を行なう度毎にチューニングを行なう必要がある。この時間の調整はＷＣＤＭＡシンセサイザの開始時間と利用可能な測定時間について同じ影響がある。この開始時間と時間調整のために、ＷＣＤＭＡのＲＡＴデバイス１０１は実際の実行信号が受信される前に準備され、その測定を実行するために十分なギャップの全長の時間を得ることが必要である。
【００３２】
“準備”信号をパッシブなＷＣＤＭＡのＲＡＴデバイス１０１に送信するステップを含む本発明の方法の代替実施例が図４Ｂの拡張フローチャートに図示されている。ＧＳＭのＲＡＴデバイス１０２はステップ４０１においてスケジュールを計画し、ステップ４０２ａでは準備信号を送信してパッシブのＷＣＤＭＡのＲＡＴデバイス１０１をウェイクアップさせる。この場合、準備信号もまた来るべきギャップの長さの情報を含んでいる。次のステップ４０２ｂでは、ＷＣＤＭＡのＲＡＴデバイス１０１が開始し、部分的に低消費電力の状態を離れ、ステップ４０２ｃで短い遅延の内にＧＳＭのＲＡＴデバイス１０２から送信される実行信号を受信するために必要な準備を行なう。それから、ステップ４０３においてＷＣＤＭＡのＲＡＴデバイス１０１により測定が実行され、ＧＳＭのＲＡＴデバイス１０２はステップ４０４においてその測定後にその動作を回復する。
【００３３】
ＧＳＭのＲＡＴデバイス１０２が例外状態の１つにあるとき、ＷＣＤＭＡのＲＡＴデバイス１０１がノンアクティブである機会は非常に短いので、進行中の機会を中断する必要はない。しかしながら、これは隣接するセルの測定にだけ適用され、ＲＬＭＮの探索に必要な測定に適用されるものではない。それ故に、例外処理は、フレームをベースにした同期の中断の通常のスケジューリングにより実行される。アイドル／パケットアイドル状態において、ＧＳＭのＲＡＴデバイス１０２は呼出を聴取する、即ち、基地局は各セルの個々の端末を呼び出して、受信器レベルを測定し、新しい隣接基地局を識別し、既に識別された隣接局を再確認する。これらのアクティビティ間の期間はスケジュールのための資源を構成する。
【００３４】
以上、本発明の方法と装置のいくつか実施例について添付図面と上述の詳細な説明で例示したが、その開示は例示的なもののみであり、変更、変形、及び代用が、添付した請求の範囲によって定義され説明された本発明の範囲から逸脱することなくなされても良い。
【００３５】
本発明の代替実施例においては、ＷＣＤＭＡのＲＡＴデバイスがアクティブであり、ＧＳＭのＲＡＴデバイスがパッシブである。しかしながら、そのギャップは、ＧＳＭの測定の計画に対して十分に長くなければならない。このことは、ＷＣＤＭＡがアイドルモードにあるときに可能である。この場合、その測定ギャップはその計画のために十分な時間をＧＳＭに与えるＤＲＸサイクルに依存した異なる期間であろう。
【００３６】
デュアル無線接続技術を用いた通信装置１００の代替実施例では、付加コントローラ或いは中央処理ユニット（ＣＰＵ）１１６が“他の構成要素”１１７〜１２５だけではなく、第１及び第２の無線接続技術を用いたデバイス１０１、１０２も制御するように適合される。それ故に、付加コントローラ１１１、１１３がこの代替実施例では必要ではない。
【００３７】
デュアル無線接続技術を用いた通信装置１００のさらに別の実施例では、第１及び第２の無線接続技術を用いたデバイス１０１、１０２が別々のアンテナ１０６’、１０６”に、図１Ｃに示されているように接続される。
【００３８】
他の代替実施例は、本発明の範囲内にある、ＣＤＭＡ２０００と、ＷＣＤＭＡ或いはＧＳＭとの間でのいくつかの場合において、本発明に従う測定イベントの同期を提供する。
【図面の簡単な説明】
【００３９】
【図１Ａ】本発明に従うデュアル無線接続技術を用いた端末の第１の実施例を図式的に示したブロック図である。
【図１Ｂ】図１Ａにおけるデュアル無線接続技術を用いた端末の回路／部品とをさらに詳細に示したブロック図である。
【図１Ｃ】本発明に従うデュアル無線接続技術を用いた端末の第２の実施例を図式的に示したブロック図である。
【図２】図１Ａにおけるデュアル無線接続端末の、第１と第２の無線接続技術を用いたデバイス間のイベント同期の測定のための異なるレベルの通信を示す図である。
【図３】セルラ移動体電話ネットワークを示す図である。
【図４Ａ】、
【図４Ｂ】本発明に従う方法の二者択一の実施例を図示したフローチャートである。
【図１Ａ】
0004634370.tif 000002
【図１Ｂ】
0004634370.tif 000003
【図１Ｃ】
0004634370.tif 000004
【図２】
0004634370.tif 000005
【図３】
0004634370.tif 000006
【図４Ａ】
0004634370.tif 000007
【図４Ｂ】
0004634370.tif 000008